(57)【要約】【課題】固定障子を窓部に効果的に固定するための連窓又は段窓における嵌め殺し窓構造。【解決手段】左右又は上下に連続的に窓部を設け、これらの一部の窓部を開閉窓ａとし、他の窓部を嵌め殺し窓ｂとした連窓又は段窓において、嵌め殺し窓ｂに装着される固定障子１２の周囲には上下框８と左右縦框９とを框組みし、上記固定障子１２の上下框７、８を縦辷り出し用ステー１５、１６を介して窓部ｂに取りつけるとともに、上記固定障子１２を閉じるときに固定障子１２を嵌め殺し窓ｂに縦辷り出し不可能に係止した。【選択図】        図１
2004183287.tif 000002
【特許請求の範囲】
【請求項１】
左右又は上下に連続的に窓部を設け、これらの一部の窓部を開閉窓とし、他の窓部を嵌め殺し窓とした連窓又は段窓において、嵌め殺し窓に装着される固定障子の周囲には上下框と左右縦框とを框組みし、上記固定障子の上下框を縦辷り出し用ステーを介して窓部に取りつけるとともに、上記固定障子を閉じるときに固定障子を嵌め殺し窓に縦辷り出し不可能に係止したことを特徴とする連窓又は段窓における嵌め殺し窓構造。
【請求項２】
前記嵌め殺し窓の窓部の一方の縦枠と固定障子の縦框のうちの一方にラッチを設け、他方に上記ラッチに係止する係止孔を形成し、前記固定障子を閉じるときに上記ラッチを上記係止孔に係止させたことを特徴とする、請求項１記載の連窓又は段窓における嵌め殺し窓構造。
【発明の詳細な説明】
【０００１】
【発明の属する技術分野】
本発明は、左右又は上下に連続的に設けられた窓部の一部を開閉窓とし、他の一部を嵌め殺し窓とした連窓又は段窓における嵌め殺し窓構造に関する。
【０００２】
【従来技術】
一般に、この種の連窓又は段窓は、左右又は上下に複数の窓が連続しているが、全ての窓部を開閉可能にしたり嵌め殺しにしたりすることは少ない。通常は一部を開閉窓とし、他を嵌め殺しにすることが行なわれている。つまり、例えば、２段の段窓の場合は上部窓を開閉窓として構成するときは、下部窓を嵌め殺しとし、また４連窓の場合は、中央部の２つの窓を嵌め殺しとし、両側の窓を開閉窓とする例が多い。
【０００３】
ところで、通常の場合、開閉窓においては、ガラスなどのパネルはその周囲を框材によって框組みするが、嵌め殺し窓の場合は、ガラスなどのパネルはその周縁を直接に窓部の内周面に形成された嵌合溝に嵌合固定するのが一般的である。したがって、連窓又は段窓において、窓部の一部を開閉窓とし、他を嵌め殺し窓とした場合、開閉窓のパネルは框組みされているが、嵌め殺し窓のパネルは框組みされていなかった。このように窓が連続する方式では、開閉か嵌め殺しかによって框があったりなかったりするので、身幅方向の寸法に大小ができる。したがって、従来の連窓又は段窓は、外観的にはアンバランスで、仕上がり感に欠け、意匠性に劣るという問題があった。
【０００４】
このような外観的アンバランスを解消するためには、固定障子も框組みすることにより、開閉窓と嵌め殺し窓が連続しても、外観的にバランスがとれ、意匠性も向上すると考えられている。
【０００５】
【発明が解決しようとする課題】
しかしながら、框組みした固定障子をどのようにして嵌め殺し窓の窓部に固定できるかについては、有効な固定方式は提案されていない。
【０００６】
本発明は上記事情に鑑み、固定障子を窓部に効果的に固定するための連窓又は段窓における嵌め殺し窓構造を提供することをその課題とする。
【０００７】
【課題を解決するための手段】
前記課題を解決するため、本発明に係る連窓又は段窓における嵌め殺し窓構造は、左右又は上下に連続的に窓部を設け、これらの一部の窓部を開閉窓とし、他の窓部を嵌め殺し窓とした連窓又は段窓において、嵌め殺し窓に装着される固定障子の周囲には上下框と左右縦框とを框組みし、上記固定障子の上下框を縦辷り出し用ステーを介して窓部に取りつけるとともに、上記固定障子を閉じるときに固定障子を嵌め殺し窓に縦辷り出し不可能に係止したことを特徴とする。
【０００８】
なお、前記嵌め殺し窓の窓部の一方の縦枠と固定障子の縦框のうちの一方にラッチを設け、他方に上記ラッチに係止する係止孔を形成し、前記固定障子を閉じるときに上記ラッチを上記係止孔に係止させるのがよい。
【０００９】
【発明の実施の形態】
図１は４連窓が上下２段に形成されて段窓を構成している例の正面図で、図２は図１のＸ−Ｘ線上の拡大断面図である。上段と下段の連窓Ａ、Ｂはそれぞれ上下枠１、２と左右の縦枠３とから構成されているとともに、さらに無目５を介して上部窓部Ａ１、Ｂ１と下部窓部Ａ２、Ｂ２とに分割されている。上段と下段の連窓Ａ、Ｂの間は化粧板４で仕切られ、上下段の連窓Ａ、Ｂのそれぞれ左右両側の上部窓部ａは開閉窓（縦辷り出し窓）として構成され、これらを除く窓部ｂは嵌め殺し窓として構成されている。
【００１０】
なお、上記各窓部Ａ１、Ｂ１、Ａ２、Ｂ２は金属部ｐと合成樹脂部ｑとから成る複合窓である。合成樹脂部ｑには、後述の障子１１、１２の周縁部を受ける張出し部６が形成されている。
【００１１】
開閉窓ａは、上框７、下框８と左右の縦框９とにより方形に框組みした框体の内側にガラス１０を装着した可動障子１１を、上下段の連窓Ａ、Ｂのそれぞれ左右両側の窓部ａに、開閉自在（縦辷り出し自在）に取りつけられている。すなわち、図３及び図４に示されるように、各窓部ａの上下にはそれぞれ縦辷り窓用オペレータのオペレータ金具１４が固定され、各オペレータ金具１４に回動自在に設けられたステー１５、１６の先端を可動障子１１の上下框７、８の金具１７に回動自在に取り付け、さらに下部オペレータ金具１４にはオペレータハンドル１８と作動アーム１９と運動変換機構２０が設けられ、可動障子１１の一方の縦框９の上下端に回動自在に設けられた連結アーム２１とオペレータの作動アーム１９とを回動自在に連結している。可動障子１１は上記ステー１５、１６によって縦辷り方向に移動自在に支持され、オペレータハンドル１８を操作してその回転運動を運動変換機構２０により作動アーム１９の水平方向の回動運動に変換させてその角度を変える。これにより、可動障子１１は縦辷りによる開閉動作をする。なお、上記框体は室内外に現われる。
【００１２】
嵌め殺し窓ｂは、可動障子１１と同じ幅寸法の上下框７、８と左右の縦框９とにより方形に框組みした框体の内側にガラス１０を装着した固定障子１２を、上部窓部Ａ１、Ｂ１のうち中央の２つの窓部ｂと下部窓部Ａ２、Ｂ２の窓部ｂに開放不可能に取り付けられている。
【００１３】
すなわち、固定障子１２の基本的構造も上記可動障子１１と同じく、図５に示されるように、各窓部ｂの上下にはそれぞれオペレータ金具１４（上述のオペレータのハンドル１８、作動アーム１９及び運動変換機構２０がないもの）が固定され、上下のオペレータ金具１４に回動自在に設けられた２個のステー１５、１６の先端は可動障子１１の上下框８の金具１７に回動自在に取り付けられている。これにより、可動障子１１は上記ステー１５、１６によって縦辷り方向に移動自在に支持されている。
【００１４】
さらに、図５及び図６（ａ）に示されるように、他方の縦框９の外側の端面には係止穴２２が形成されている。これに対し、上記縦框９に対応する縦枠３の内側にはラッチホルダ２３が固定され、ラッチホルダ２３には、ラッチ２４が窓部ｂの開口面に沿って作動可能に取りつけられ、バネ２５によって常時内方に突出するように付勢されている。上記ラッチ２４は上記係止穴２２に係止可能に配置されている。
【００１５】
上記構成において、固定障子１２を閉じ方向に回動させ、回動の終端付近で、強く窓部ｂに押し込むことにより、図６（ｂ）に示されるように、固定障子１２の端部は縦枠３の張出し部６に係合し、同時に固定障子１２の係止穴２２にラッチ２４が係止する。このとき、上記一方の縦框９は同様に一方の縦枠３の内側に係合する。これにより、固定障子１２の上下框７、８と左右縦框９は窓部の内側に収まって固定され、室内側からラッチ２４を押して係止穴２２から外さない限り開放不可能な嵌め殺し窓ｂとなる。なお、固定障子１２の框体も室内外に現われる。
【００１６】
上記構成によれば、開閉窓ａの可動障子１１も嵌め殺し窓ｂの固定障子１２もともに框組みされているので、外観的には上記両窓ａ、ｂが同じ形状のものとして認識され、不自然さがなく、意匠性が向上する。
【００１７】
また、固定障子１２の固定は、係止によって行なわれ、ねじ込みなどの面倒な作業を要しないから、固定障子１２を窓部ｂに効果的に固定することができる。
【００１８】
また、可動障子１１と固定障子１２の取りつけの主な違いはラッチ２４と係止穴２２の有無だけであり、固定障子１２の場合はオペレータの構成金具中のハンドル１８、作動アーム１９等は不要であるが、上下框７、８に固定するのはオペレータの本体部分であるから、この点は可動障子１１も固定障子１２も同じである。また、オペレータの取りつけ位置は可動障子１１も固定障子１２も同じであり、固定障子１２も可動障子１１と同様に閉じて固定すればよい。つまり、固定障子１２を嵌め殺し窓ｂに固定するにあたっては、可動障子１１とほぼ同じような手順で行なえばよく、可動障子１１のものとは全く異なる特別な器具を取り付けたり、特別な操作をする必要がない。したがって、障子取りつけ作業を容易かつ迅速に行なうことができる。
【００１９】
なお、上述の例とは逆に、固定障子１２の縦框９にラッチ２４を形成し、縦枠３に係止穴２２を形成してもよい。
【００２０】
また、固定障子１２を嵌め殺し窓の窓部ｂに係止するにあたっては、必ずしも縦框を縦枠に係止させる構成に限定されない。開放不可能に係止するものであれば、上又は下框を上又は下枠に係止させる構成であってもよい。
【００２１】
【発明の効果】
請求項１に係る発明によれば、固定障子の上下框を縦辷り出し用ステーを介して窓部に取りつけるとともに、上記固定障子を閉じるときに固定障子の一方の縦框を嵌め殺し窓部の一方の縦枠に縦辷り出し不可能に係止したので、固定障子は開閉不可能となる。
【００２２】
したがって、開閉窓ａの可動障子も嵌め殺し窓の固定障子もともに框組みされ、框が外部に現われるので、外観的には上記両窓が同じ形状のものとして視認され、不自然さがなく、意匠性が向上する。
【００２３】
また、固定障子の固定は係止によって行なわれ、ねじ込みなどの面倒な作業を要しないから、固定障子を窓部に効果的に固定することができる。
【００２４】
請求項２に係る発明によれば、嵌め殺し窓の窓部の一方の縦枠と固定障子の縦框のうちの一方にラッチを設け、他方に上記ラッチに係止する係止孔を形成し、固定障子を閉じるときに上記ラッチを上記係止孔に係止させるようにしたので、障子取りつけ作業を容易かつ迅速に行なうことができる。
【図面の簡単な説明】
【図１】段窓と連窓の正面図
【図２】図１のＸ−Ｘ線上の断面図
【図３】可動障子と開閉窓部の斜視図
【図４】オペレータと可動障子の縦框との連結態様説明図
【図５】固定障子と開閉窓部の斜視図
【図６】（ａ）（ｂ）は固定障子の取りつけ態様説明図
【符号の説明】
ａ  開閉窓
ｂ  嵌め殺し窓
１１  可動障子
１２  固定障子
【図１】
2004183287.tif 000003
【図２】
2004183287.tif 000004
【図３】
2004183287.tif 000005
【図４】
2004183287.tif 000006
【図５】
2004183287.tif 000007
【図６】
2004183287.tif 000008